(57)【要約】【課題】同じコンテンツを同時に２次元および３次元で表示させることが可能な電子機器を提供する。【解決手段】電子機器１０のフラッシュメモリは、コンテンツを２次元表示するための第１の画像データと、前記コンテンツを３次元表示するための第２の画像データとを格納している。電子機器１０のＣＰＵは、第１の画像データを用いて、コンテンツを電子機器１０のディスプレイに２次元表示させる。ＣＰＵは、ディスプレイに表示されたコンテンツを選択するための指示を受け付けると、第２の画像データを用いて、選択されたコンテンツを表示装置２０のディスプレイ２０８１に３次元表示させる。【選択図】図３
2012113521.tif 000002
【特許請求の範囲】
【請求項１】
プロセッサとメモリとを備えた電子機器であって、
前記メモリは、コンテンツを２次元表示するための第１の画像データと、前記コンテンツを３次元表示するための第２の画像データとを格納しており、
前記プロセッサは、
前記第１の画像データを用いて、前記コンテンツを第１のディスプレイに２次元表示させ、
前記第１のディスプレイに表示された前記コンテンツを選択するための指示を受け付けると、前記第２の画像データを用いて、前記選択されたコンテンツを第２のディスプレイに３次元表示させる、電子機器。
【請求項２】
前記メモリは、複数の前記コンテンツの各々について、前記第１の画像データと前記第２の画像データとを格納しており、
前記プロセッサは、
複数の前記コンテンツを前記第１のディスプレイに２次元表示させ、
前記第１のディスプレイに表示させた前記複数のコンテンツから１つのコンテンツを選択するための指示を受け付け、
前記選択されたコンテンツを、当該選択されたコンテンツの前記第２の画像データを用いて、前記第２のディスプレイに３次元表示させる、請求項１に記載の電子機器。
【請求項３】
前記第１のディスプレイは、２次元表示専用のディスプレイである、請求項１または２に記載の電子機器。
【請求項４】
前記プロセッサは、
前記複数のコンテンツの各々を、前記第１のディスプレイにサムネイル画像として表示させ、
前記複数のサムネイル画像から１つのサムネイル画像を選択するための指示を受け付けると、前記第１のディスプレイに、当該選択されたサムネイル画像に対応した２次元画像を表示させる、請求項３に記載の電子機器。
【請求項５】
前記第１のディスプレイの表示面に対向する位置に、接触位置と接触圧とを検出するためのタッチパネルをさらに備え、
前記プロセッサは、前記コンテンツを選択するための接触を前記タッチパネルが検出すると、当該接触に基づく接触圧に応じた飛び出し量で、前記選択されたコンテンツを前記第２のディスプレイに３次元表示させる、請求項１から４のいずれか１項に記載の電子機器。
【請求項６】
前記第１のディスプレイおよび前記第２のディスプレイのうち少なくともいずれかをさらに備える、請求項１から５のいずれか１項に記載の電子機器。
【請求項７】
プロセッサとメモリとを備えた電子機器における表示制御方法であって、
前記メモリは、コンテンツを２次元表示するための第１の画像データと、前記コンテンツを３次元表示するための第２の画像データとを格納しており、
前記表示制御方法は、
前記プロセッサが、前記第１の画像データを用いて、前記コンテンツを第１のディスプレイに２次元表示させるステップと、
前記プロセッサが、前記第１のディスプレイに表示された前記コンテンツを選択するための指示を受け付けると、前記第２の画像データを用いて、前記選択されたコンテンツを第２のディスプレイに３次元表示させるステップとを備える、表示制御方法。
【請求項８】
プロセッサとメモリとを備えた電子機器を制御するためのプログラムであって、
前記メモリは、コンテンツを２次元表示するための第１の画像データと、前記コンテンツを３次元表示するための第２の画像データとを格納しており、
前記プログラムは、
前記第１の画像データを用いて、前記コンテンツを第１のディスプレイに２次元表示させるステップと、
前記第１のディスプレイに表示された前記コンテンツを選択するための指示を受け付けると、前記第２の画像データを用いて、前記選択されたコンテンツを第２のディスプレイに３次元表示させるステップとを、前記プロセッサに実行させる、プログラム。
【発明の詳細な説明】
【技術分野】
【０００１】
本発明は、電子機器、表示制御方法、およびプログラムに関する。特に、３次元表示用の画像データを格納した電子機器、表示制御方法、およびプログラムに関する。
【背景技術】
【０００２】
従来、２次元画像と３次元画像とを表示可能な装置が知られている。
特許文献１には、当該装置として、コンテンツ表示装置が開示されている。当該コンテンツ表示装置は、２次元表示と３次元表示とが切替え可能である。
【０００３】
特許文献２には、２次元画像と３次元画像とを表示可能な装置における表示方法として、立体画像表示方法が開示されている。当該立体画像表示方法は、右目用画像と左目用画像をそれぞれ右目および左目に分離入力して立体像を再現する。また、立体画像表示方法は、計算機により３次元空間を記述する情報から撮影画像を生成する３次元コンピュータグラフィクスを用いて左目用および右目用の２画像を生成する。さらに、立体画像表示方法は、左目用および右目用の２画像の視差量の変化により非立体表示と立体表示状態への移行を可能とする。
【先行技術文献】
【特許文献】
【０００４】
【特許文献１】特開２００４−３２８５６６号公報
【特許文献２】特開平１０−１７２００４号公報
【発明の概要】
【発明が解決しようとする課題】
【０００５】
しかしながら、特許文献１および２の技術では、同じコンテンツを同時に２次元および３次元で表示させることができない。本願発明は上記の問題点に鑑みなされたものであって、その目的は、同じコンテンツを同時に２次元および３次元で表示させることが可能な電子機器、表示制御方法、およびプログラムを提供することにある。
【課題を解決するための手段】
【０００６】
本発明のある局面に従うと、電子機器は、プロセッサとメモリとを備えている。メモリは、コンテンツを２次元表示するための第１の画像データと、コンテンツを３次元表示するための第２の画像データとを格納している。プロセッサは、第１の画像データを用いて、コンテンツを第１のディスプレイに２次元表示させる。プロセッサは、第１のディスプレイに表示されたコンテンツを選択するための指示を受け付けると、第２の画像データを用いて、選択されたコンテンツを第２のディスプレイに３次元表示させる。
【０００７】
好ましくは、メモリは、複数のコンテンツの各々について、第１の画像データと第２の画像データとを格納している。プロセッサは、複数のコンテンツを第１のディスプレイに２次元表示させる。プロセッサは、第１のディスプレイに表示させた複数のコンテンツから１つのコンテンツを選択するための指示を受け付ける。プロセッサは、選択されたコンテンツを、当該選択されたコンテンツの第２の画像データを用いて、第２のディスプレイに３次元表示させる。
【０００８】
好ましくは、第１のディスプレイは、２次元表示専用のディスプレイである。
好ましくは、プロセッサは、複数のコンテンツの各々を、第１のディスプレイにサムネイル画像として表示させる。プロセッサは、複数のサムネイル画像から１つのサムネイル画像を選択するための指示を受け付けると、第１のディスプレイに、当該選択されたサムネイル画像に対応した２次元画像を表示させる。
【０００９】
好ましくは、電子機器は、第１のディスプレイの表示面に対向する位置に、接触位置と接触圧とを検出するためのタッチパネルをさらに備える。プロセッサは、コンテンツを選択するための接触を前記タッチパネルが検出すると、当該接触に基づく接触圧に応じた飛び出し量で、選択されたコンテンツを第２のディスプレイに３次元表示させる。
【００１０】
好ましくは、電子機器は、第１のディスプレイおよび第２のディスプレイのうち少なくともいずれかをさらに備える。
【００１１】
本発明の他の局面に従うと、表示制御方法は、プロセッサとメモリとを備えた電子機器における表示制御方法である。メモリは、コンテンツを２次元表示するための第１の画像データと、コンテンツを３次元表示するための第２の画像データとを格納している。表示制御方法は、プロセッサが、第１の画像データを用いて、コンテンツを第１のディスプレイに２次元表示させるステップと、プロセッサが、第１のディスプレイに表示されたコンテンツを選択するための指示を受け付けると、第２の画像データを用いて、選択されたコンテンツを第２のディスプレイに３次元表示させるステップとを備える。
【００１２】
本発明のさらに他の局面に従うと、プログラムは、プロセッサとメモリとを備えた電子機器を制御するためのプログラムである。メモリは、コンテンツを２次元表示するための第１の画像データと、コンテンツを３次元表示するための第２の画像データとを格納している。プログラムは、第１の画像データを用いて、コンテンツを第１のディスプレイに２次元表示させるステップと、第１のディスプレイに表示されたコンテンツを選択するための指示を受け付けると、第２の画像データを用いて、選択されたコンテンツを第２のディスプレイに３次元表示させるステップとを、プロセッサに実行させる。
【発明の効果】
【００１３】
本発明によれば、同じコンテンツを同時に２次元および３次元で表示させることが可能となる。
【図面の簡単な説明】
【００１４】
【図１】映像表示システムの概略構成を示した図である。
【図２】電子機器のハードウェア構成を示した図である。
【図３】電子機器と表示装置とにおける画面遷移例を示した図である。
【図４】フラッシュメモリが格納している表示用データを示した図である。
【図５】電子機器における処理の流れを示したフローチャートである。
【図６】表示装置における画面遷移をするための図である。
【図７】接触圧と３次元画像の飛び出し量との関係を説明するための図である。
【図８】他の電子機器の外観を示した図である。
【図９】他の映像表示システムの概略構成を示した図である。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
図１は、映像表示システム１の概略構成を示した図である。図１を参照して、映像表示システム１は、電子機器１０と、表示装置２０とを備える。電子機器１０は、操作キー１０５と、タッチパネル付きディスプレイ１０８と、出力端子１１０とを備える。表示装置２０は、ディスプレイ２０８１と、図示しない入力端子とを備える。
【００１７】
電子機器１０と、表示装置２０とは、接続ケーブル９０により接続されている。具体的には、電子機器１０の出力端子１１０と、表示装置２０の入力端子とが、接続ケーブル９０により接続されている。たとえば、出力端子１１０はＵＳＢ（Universal Serial Bus）出力端子であり、上記入力端子はＵＳＢ入力端子である。あるいは、出力端子１１０はＨＤＭＩ（High-Definition Multimedia Interface）出力端子であり、上記入力端子はＨＤＭＩ入力端子である。
【００１８】
電子機器１０は、たとえば、スマートフォン等の携帯型電話機、ＰＤＡ（Personal Digital Assistant）、フォトビューアである。また、電子機器１０は、ネットブックであってもよい。電子機器１０は、２次元表示のみが可能な装置である。
【００１９】
表示装置２０は、たとえば、テレビ、パーソナルコンピュータ用のモニタ等の映像（静止画および動画）を出力可能な出力装置である。表示装置２０は、３次元表示が可能に構成されている。表示装置２０は、ディスプレイ２０８１に、右目用画像と左目用画像とを、ｘ方向において交互に表示する。３次元表示の方法は、特に限定されるものではない。３次元表示の方法として、たとえば、視差バリア方式、レンチキュラ方式、偏光板方式、液晶アクティブシャッターメガネ方式等の各種の方式を用いることができる。
【００２０】
図２は、電子機器１０のハードウェア構成を示した図である。図２を参照して、電子機器１０は、プログラムを実行するＣＰＵ（Central Processing Unit）１０１と、データを不揮発的に格納するＲＯＭ（Read Only Memory）１０２と、データを揮発的に格納するＲＡＭ（Random Access Memory）１０３と、ＮＡＮＤ型のフラッシュメモリ１０４と、電子機器１０のユーザによる指示の入力を受ける操作キー１０５と、通信ＩＦ（Interface）１０６と、ＩＣ（Integrated Circuit）カードリーダライタ１０７と、タッチパネル付きディスプレイ１０８と、電源ユニット１０９と、出力端子１１０とを備える。タッチパネル付きディスプレイ１０８は、ディスプレイ１０８１とタッチパネル１０８２とで構成される。タッチパネル１０８２は、ディスプレイ１０８１の表示面に対向する位置に設けられている。
【００２１】
フラッシュメモリ１０４は、不揮発性の半導体メモリである。フラッシュメモリ１０４は、電子機器１０を制御するための各種のプログラム、並びに、電子機器１０が生成したデータ、電子機器１０の外部装置から取得したデータ、後述する飛び出し量Ｖ１，Ｖ２，Ｖ３を実現するための右目用画像と左目用画像とのずれ量を示したデータ等の各種データを揮発的に格納する。
【００２２】
通信ＩＦ１０６は、電子機器１０が外部の通信装置と無線通信を行なうための信号処理を行なう。電源ユニット１０９は、データバスを介して、ＣＰＵ１０１、通信ＩＦ１０６、ＩＣカードリーダライタ１０７、タッチパネル付きディスプレイ１０８等に電力を供給する。
【００２３】
各構成要素１０１〜１１０は、相互にデータバスによって接続されている。ＩＣカードリーダライタ１０７には、メモリカード１０７１が装着される。
【００２４】
電子機器１０における処理は、各ハードウェアおよびＣＰＵ１０１により実行されるソフトウェアによって実現される。このようなソフトウェアは、フラッシュメモリ１０４に予め記憶されている場合がある。また、ソフトウェアは、メモリカード１０７１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１０７その他の読取装置によりその記憶媒体から読み取られて、あるいは、通信ＩＦを介してダウンロードされた後、フラッシュメモリ１０４に一旦格納される。そのソフトウェアは、ＣＰＵ１０１によってフラッシュメモリ１０４から読み出され、さらにフラッシュメモリ１０４に実行可能なプログラムの形式で格納される。ＣＰＵ１０１は、そのプログラムを実行する。
【００２５】
同図に示される電子機器１０を構成する各構成要素は、一般的なものである。したがって、本発明の本質的な部分は、フラッシュメモリ１０４、メモリカード１０７１その他の記憶媒体に格納されたソフトウェア、あるいはネットワークを介してダウンロード可能なソフトウェアであるともいえる。なお、電子機器１０の各ハードウェアの動作は周知であるので、詳細な説明は繰り返さない。
【００２６】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００２７】
ここでいうプログラムとは、ＣＰＵにより直接実行可能なプログラムだけでなく、ソースプログラム形式のプログラム、圧縮処理されたプログラム、暗号化されたプログラム等を含む。
【００２８】
以下では、オリジナル画像を縮小することによりサムネイル画像が生成されるものとして説明する。オリジナル画像が表す内容を３次元表示させた画像を、「３次元画像」と称する。
【００２９】
図３は、電子機器１０と表示装置２０とにおける画面遷移例を示した図である。図３（ａ）は、電子機器１０が複数のサムネイル画像を表示した状態を示した図である。図３（ｂ）は、電子機器１０において、１つのサムネイル画像が選択された直後の状態を示した図である。図３（ｃ）は、電子機器１０が、３次元画像を表示装置２０のディスプレイ２０８に出力した状態を示した図である。
【００３０】
図３（ａ）を参照して、ＣＰＵ１０１は、ユーザから予め定められた指示を受け付けると、複数のサムネイル画像８０１〜８０９を、タッチパネル付きディスプレイ１０８のディスプレイ１０８１に表示させる。当該指示は、タッチパネル１０８２等から入力される。複数のサムネイル画像８０１〜８０９は、フラッシュメモリ１０４に格納されている。
【００３１】
ＣＰＵ１０１は、表示装置２０には画像を出力しない。なお、表示装置２０にディスプレイ１０８１に表示させたものと同内容の画像を出力するように電子機器１０を構成してもよい。
【００３２】
図３（ｂ）を参照して、ＣＰＵ１０１は、１つのサムネイル画像８０３がタッチパネル１０８２を用いて選択されると、サムネイル画像８０３が選択されたことを示す状態に画面を遷移させる。なお、この状態においても、電子機器１０は、表示装置２０には画像を出力しない。
【００３３】
図３（ｃ）を参照して、ＣＰＵ１０１は、図３（ｂ）の後、選択されたサムネイル画像８０３の元となるオリジナル画像（つまり、縮小前の元画像）を、ディスプレイ１０８１に２次元表示させる。さらに、ＣＰＵ１０１は、当該オリジナル画像と同一内容を表す３次元画像を、表示装置２０のディスプレイ２０８１に表示させる。つまり、ＣＰＵ１０１は、同一コンテンツを、ディスプレイ１０８１に２次元表示させ、ディスプレイ２０８１に３次元表示させる。
【００３４】
なお、図３（ｂ）に示した画面は、図３（ｃ）に示したように電子機器１０が元画像を表示するまでの期間だけ表示される。
【００３５】
図４は、フラッシュメモリ１０４が格納している表示用データ４００を示した図である。図４を参照して、フラッシュメモリ１０４は、コンテンツＩＤ（Identification）の各々に対応付けて、２次元表示用画像データと、３次元表示用画像データとを格納している。
【００３６】
２次元表示用画像データは、オリジナル画像データと、サムネイル画像データとで構成される。３次元表示用画像データは、右目用画像データと、左目用画像データとで構成される。たとえば、コンテンツＩＤ８００１には、オリジナル画像データ８００１．ｊｐｇと、サムネイル画像データ８００１ＴＮ．ｊｐｇと、右目用画像データ８００１Ｒ．ｊｐｇと、右目用画像データ８００１Ｌ．ｊｐｇとが対応付けられている。
【００３７】
各コンテンツは、静止画像および動画像のいずれかである。各コンテンツは、２次元表示用画像データにより２次元表示が可能であって、３次元表示用画像データにより３次元表示が可能である。
【００３８】
ＣＰＵ１０１は、サムネイル画像データを用いて、電子機器１０のディスプレイ１０８１に、複数のサムネイル画像８０１〜８０９を表示させる。ＣＰＵ１０１は、オリジナル画像データを用いて、電子機器１０のディスプレイ１０８１に、選択されたサムネイル画像８０３に対応付けられたオリジナル画像８０３Ａを表示させる。ＣＰＵ１０１は、３次元表示用画像データを用いて、表示装置２０のディスプレイ２０８１に、ディスプレイ１０８１に表示されたオリジナル画像８０３Ａと同じ内容を表す３次元画像８０３Ｂを表示させる。言い換えれば、ＣＰＵ１０１は、３次元表示用画像データを用いて、表示装置２０のディスプレイ２０８１に、選択されたサムネイル画像８０３に対応付けられた３次元画像８０３Ｂを表示させる。なお、ファイル形式は、ｊｐｇに限定されるものではない。
【００３９】
図５は、電子機器１０における処理の流れを示したフローチャートである。図５を参照して、ステップＳ２において、ＣＰＵ１０１は、複数のサムネイル画像をディスプレイ１０８１に表示させる。ステップＳ４において、ＣＰＵ１０１は、ディスプレイ１０８１に表示された複数のサムネイル画像のうち、１つのサムネイル画像を選択するための指示を受け付けたか否かを判断する。
【００４０】
ＣＰＵ１０１は、選択するための指示を受け付けたと判断すると（ステップＳ４においてＹＥＳ）、ステップＳ６において、選択されたサムネイル画像に対応したオリジナル画像をディスプレイ１０８１に２次元表示させる。ＣＰＵ１０１は、選択するための指示を受け付けていないと判断すると（ステップＳ４においてＮＯ）、処理をステップＳ４に進める。
【００４１】
ステップＳ８において、ＣＰＵ１０１は、選択されたサムネイル画像に対応付けられた３次元画像を、表示装置２０のディスプレイ２０８１に出力させる。
【００４２】
（１）以上のように、フラッシュメモリ１０４は、コンテンツを２次元表示するためのサムネイル画像データと、当該コンテンツを３次元表示するための３次元表示用画像データとを格納している（図４参照）。
【００４３】
ＣＰＵ１０１は、サムネイル画像データを用いて、コンテンツをサムネイル画像としてディスプレイ１０８１に２次元表示させる。ＣＰＵ１０１は、ディスプレイ１０８１に表示されたコンテンツを選択するための指示を受け付けると、３次元表示用画像データを用いて、当該選択されたコンテンツを表示装置２０のディスプレイ２０８１に３次元表示させる。
【００４４】
したがって、電子機器１０は、コンテンツをディスプレイ１０８１に２次元表示するとともに、当該コンテンツをディスプレイ２０８１に３次元表示できる。したがって、電子機器は、コンテンツを同時に２次元および３次元で表示させることが可能となる。それゆえ、ユーザは、コンテンツを同時に２次元画像および３次元画像として視認可能となる。
【００４５】
（２）また、フラッシュメモリ１０４は、複数のコンテンツの各々について、サムネイル画像データと３次元表示用画像データとを格納している。
【００４６】
ＣＰＵ１０１は、複数のコンテンツの各々をサムネイル画像としてディスプレイ１０８１に２次元表示させる。ＣＰＵ１０１は、ディスプレイ１０８１に表示させた複数のコンテンツから１つのコンテンツを選択するための指示を受け付ける。ＣＰＵ１０１は、選択されたコンテンツを、当該選択されたコンテンツの３次元表示用画像データを用いて、ディスプレイ２０８１に３次元表示させる。
【００４７】
したがって、電子機器１０は、ユーザが選択したサムネイル画像に関するコンテンツを、同時に２次元および３次元で表示させることが可能となる。
【００４８】
（３）ディスプレイ１０８１は、２次元表示専用のディスプレイである。
したがって、電子機器１０がコンテンツを３次元表示できない構成であっても、ユーザは、他のディスプレイにて当該コンテンツを３次元で視認することができる。
【００４９】
（４）ＣＰＵ１０１は、複数のサムネイル画像から１つのサムネイル画像を選択するための指示を受け付けると、ディスプレイ１０８１に、当該選択されたサムネイル画像に対応したオリジナル画像を２次元表示させる。
【００５０】
したがって、電子機器１０は、表示装置２０のディスプレイ２０８１において３次元画像を表示させるときに、ディスプレイ１０８１においてオリジナル画像を表示できる。それゆえ、ユーザは、ディスプレイ１０８１においてサムネイル画像よりも表示サイズが大きなオリジナル画像を視認できるとともに、ディスプレイ２０８１において３次元画像を視認できる。
【００５１】
＜変形例＞
（１）タッチパネル１０８２が、指等が接触した箇所の接触圧を検出する機能を有している場合における、電子機器１０の処理について説明する。
【００５２】
図６は、表示装置２０における画面遷移をするための図である。図６（ａ）は、ユーザが指９０１でサムネイル画像８０３を選択した直後を示した図である。図６（ｂ）は、図６（ａ）の後にディスプレイ２０８１に表示される画像であって、図６（ａ）においてユーザが指９０１を弱くタッチパネル１０８２に接触させた場合に表示される画像である。図６（ｃ）は、図６（ａ）の後にディスプレイ２０８１に表示される画像であって、図６（ａ）においてユーザが指９０１を中程度の力でタッチパネル１０８２に接触させた場合に表示される画像である。図６（ｄ）は、図６（ａ）の後にディスプレイ２０８１に表示される画像であって、図６（ａ）においてユーザが指９０１を強くタッチパネル１０８２に接触させた場合に表示される画像である。
【００５３】
図６（ｂ）を参照して、ＣＰＵ１０１は、選択されたサムネイル画像８０３に対応する３次元画像を、表示装置２０のディスプレイ２０８１に飛び出し量を小として表示する。図６（ｃ）を参照して、ＣＰＵ１０１は、選択されたサムネイル画像８０３に対応する３次元画像を、ディスプレイ２０８１に飛び出し量を中として表示する。図６（ｄ）を参照して、ＣＰＵ１０１は、選択されたサムネイル画像８０３に対応する３次元画像を、ディスプレイ２０８１に飛び出し量を大として表示する。
【００５４】
図７は、接触圧Ｐと３次元画像の飛び出し量Ｖとの関係を説明するための図である。図７（ａ）は、接触圧Ｐと飛び出し量Ｖとの第１の関係を示したグラフである。図７（ｂ）は、接触圧Ｐと飛び出し量Ｖとの第２の関係を示したグラフである。
【００５５】
図７（ａ）を参照して、第１の関係を示したグラフでは、接触圧Ｐが大きくなるにつれて、飛び出し量Ｖが大きくなる。ＣＰＵ１０１は、検出された接触圧に正比例した飛び出し量で、選択されたサムネイル画像８０３に対応する３次元画像をディスプレイ２０８１に表示させる。
【００５６】
図７（ｂ）を参照して、第２の関係を示したグラフでは、接触圧Ｐが大きくなるに連れて、階段状に飛び出し量Ｖが大きくなる。ＣＰＵ１０１は、検出された接触圧Ｐに対応した飛び出し量Ｖで、選択されたサムネイル画像８０３に対応する３次元画像をディスプレイ２０８１に表示させる。
【００５７】
具体的には、ＣＰＵ１０１は、接触圧Ｐが閾値Ｔｈ１未満の場合には、飛び出し量Ｖ１として、選択されたサムネイル画像８０３に対応する３次元画像をディスプレイ２０８１に表示させる。ＣＰＵ１０１は、接触圧Ｐが閾値Ｔｈ１以上閾値Ｔｈ２未満の場合には、飛び出し量Ｖ２（Ｖ２＞Ｖ１）として、選択されたサムネイル画像８０３に対応する３次元画像をディスプレイ２０８１に表示させる。ＣＰＵ１０１は、接触圧Ｐが閾値Ｔｈ２以上閾値Ｔｈ３未満の場合には、飛び出し量Ｖ３（Ｖ３＞Ｖ２）として、選択されたサムネイル画像８０３に対応する３次元画像をディスプレイ２０８１に表示させる。ＣＰＵ１０１は、接触圧Ｐが閾値Ｔｈ３以上の場合には、飛び出し量Ｖ４（Ｖ４＞Ｖ３）として、選択されたサムネイル画像８０３に対応する３次元画像をディスプレイ２０８１に表示させる。
【００５８】
なお、飛び出し量の制御は、右目用画像と左目用画像とのディスプレイ２０８１における位置のずれを変更することにより実現できる。当該ずれを大きくすることにより、飛び出し量が大きくでき、当該ずれを小さくすることにより、飛び出し量を少なくできる。つまり、視差を大きくすると飛び出し量が大きくなり、視差を小さくすると飛び出し量を少なくできる。
【００５９】
以上のように、タッチパネル１０８２は、接触位置と接触圧とを検出する。ＣＰＵ１０１は、コンテンツを選択するための接触をタッチパネル１０８２が検出すると、当該接触に基づく接触圧Ｐに応じた飛び出し量Ｖで、選択されたコンテンツを表示装置２０のディスプレイ２０８１に３次元表示させる。
【００６０】
したがって、ユーザは、指９０１の接触圧を調整することにより、ユーザの所望する飛び出し量でコンテンツをディスプレイ２０８１に３次元表示させることができる。
【００６１】
（２）上記においては、電子機器１０と表示装置２０とからなる映像表示システム１を例に挙げて説明した。以下では、電子機器単体で、上記のような２次元表示と３次元表示とが可能な構成について説明する。
【００６２】
図８は、電子機器１０Ａの外観を示した図である。図８を参照して、電子機器１０Ａは、クラムシェル型の機器である。電子機器１０Ａは、第１の筐体１００１と、第２の筐体１００２と、ヒンジ部材１００３とを備える。第１の筐体１００１と第２の筐体１００２とは、ヒンジ部材１００３にて連結されている。
【００６３】
第１の筐体１００１は、３次元表示が可能なディスプレイ２０８１Ａを備える。第２の筐体１００２は、タッチパネル付きディスプレイ１０８Ａと、操作キー１０５Ａとを備える。タッチパネル付きディスプレイ１０８Ａは、ディスプレイ１０８１とタッチパネル１０８２とを含む。
【００６４】
つまり、電子機器１０Ａと電子機器１０とを対比すると、電子機器１０のタッチパネル付きディスプレイ１０８と電子機器１０Ａのタッチパネル付きディスプレイ１０８Ａとが対応し、表示装置２０のディスプレイ２０８１と電子機器１０Ａのディスプレイ２０８１Ａとが対応する。
【００６５】
電子機器１０Ａは、ＣＰＵ１０１と、ＲＯＭ１０２と、ＲＡＭ１０３と、フラッシュメモリ１０４と、操作キー１０５Ａと、通信ＩＦ１０６と、ＩＣカードリーダライタ１０７と、タッチパネル付きディスプレイ１０８Ａと、電源ユニット１０９とを備える。
【００６６】
電子機器１０Ａにおいても、ＣＰＵ１０１は、サムネイル画像データを用いて、コンテンツをサムネイル画像としてディスプレイ１０８１に２次元表示させる。ＣＰＵ１０１は、ディスプレイ１０８１に表示されたコンテンツを選択するための指示を受け付けると、３次元表示用画像データを用いて、当該選択されたコンテンツをディスプレイ２０８１Ａに３次元表示させる。
【００６７】
より具体的には、ＣＰＵ１０１は、複数のコンテンツの各々をサムネイル画像としてディスプレイ１０８１に２次元表示させる。ＣＰＵ１０１は、ディスプレイ１０８１に表示させた複数のコンテンツから１つのコンテンツを選択するための指示を受け付ける。ＣＰＵ１０１は、選択されたコンテンツを、当該選択されたコンテンツの３次元表示用画像データを用いて、ディスプレイ２０８１Ａに３次元表示させる。
【００６８】
詳しくは、ＣＰＵ１０１は、複数のサムネイル画像から１つのサムネイル画像を選択するための指示を受け付けると、ディスプレイ１０８１に、当該選択されたサムネイル画像に対応したオリジナル画像を２次元表示させる。
【００６９】
また、タッチパネル１０８２への接触に基づく接触圧Ｐに応じた飛び出し量Ｖで、選択されたコンテンツをディスプレイ２０８１Ａに３次元表示させるように、電子機器１０Ａを構成してもよい。
【００７０】
（３）以下では、映像表示システム１とは異なる映像表示システム１Ｂについて説明する。図９は、映像表示システム１Ｂの概略構成を示した図である。映像表示システム１Ｂは、電子機器１０Ｂと、表示装置２０と、表示装置３０とを備える。電子機器１０Ｂは、本体装置１２１と、キーボード１２２と、マウス１２３とを含む。表示装置３０は、タッチパネル付きディスプレイ３０８を備えている。タッチパネル付きディスプレイ３０８は、ディスプレイとタッチパネルとを備える。
【００７１】
電子機器１０Ｂは、接続ケーブル９０を用いて、表示装置２０と接続されている。また、電子機器１０Ｂは、接続ケーブル９１を用いて、表示装置３０と接続されている。
【００７２】
電子機器１０Ｂの本体装置１２１は、ＣＰＵ１０１と、ＲＯＭ１０２と、ＲＡＭ１０３と、フラッシュメモリ１０４と、キーボード１２２と、通信ＩＦ１０６と、ＩＣカードリーダライタ１０７とを含む。電子機器１０Ｂは、表示手段を備えていない点において、電子機器１０とは異なる。また、映像表示システム１Ｂと映像表示システム１とを対比すると、映像表示システム１における電子機器１０のタッチパネル付きディスプレイ１０８と、映像表示システム１Ｂにおける表示装置３０のタッチパネル付きディスプレイ３０８とが対応している。
【００７３】
電子機器１０Ｂにおいても、ＣＰＵ１０１は、サムネイル画像データを用いて、コンテンツをサムネイル画像として表示装置３０のタッチパネル付きディスプレイ３０８に２次元表示させる。ＣＰＵ１０１は、タッチパネル付きディスプレイ３０８に表示されたコンテンツを選択するための指示を受け付けると、３次元表示用画像データを用いて、当該選択されたコンテンツをディスプレイ２０８１に３次元表示させる。なお、当該指示は、キーボード１２２またはマウス１２３により入力される。
【００７４】
より具体的には、ＣＰＵ１０１は、複数のコンテンツの各々をサムネイル画像としてタッチパネル付きディスプレイ３０８に２次元表示させる。ＣＰＵ１０１は、タッチパネル付きディスプレイ３０８に表示させた複数のコンテンツから１つのコンテンツを選択するための指示を受け付ける。ＣＰＵ１０１は、選択されたコンテンツを、当該選択されたコンテンツの３次元表示用画像データを用いて、ディスプレイ２０８１に３次元表示させる。
【００７５】
詳しくは、ＣＰＵ１０１は、複数のサムネイル画像から１つのサムネイル画像を選択するための指示を受け付けると、タッチパネル付きディスプレイ３０８に、当該選択されたサムネイル画像に対応したオリジナル画像を２次元表示させる。
【００７６】
なお、タッチパネル付きディスプレイ３０８の代わりに、単なるディスプレイを備えるように電子機器１０Ｂを構成してもよい。
【００７７】
また、タッチパネル付きディスプレイ３０８への接触に基づく接触圧Ｐに応じた飛び出し量Ｖで、選択されたコンテンツをディスプレイ２０８１に３次元表示させるように、電子機器１０Ｂを構成してもよい。
【００７８】
（４）図４の表示用データ４００においては、オリジナル画像データを３次元用画像データとは別に格納した構成を例に挙げて説明したが、これに限定されるものではない。オリジナル画像データとして、右目用画像データまたは左目用画像データを用いてもよい。
【００７９】
（５）電子機器１０を、２次元表示と３次元表示とが可能な装置としてもよい。また、を、表示装置３０を、２次元表示と３次元表示とが可能な装置としてもよい。
【００８０】
（６）電子機器１０のディスプレイ１０８１には、サムネイル画像が選択されたことにより、選択されたサムネイル画像に対応付けられたオリジナル画像を表示する構成を例に挙げて説明したが、当該オリジナル画像をディスプレイ１０８１に表示させなくてもよい。つまり、サムネイル画像の表示を維持するように電子機器１０を構成してもよい。
【００８１】
（７）サムネイル画像データは、ＣＰＵ１０１がサムネイル画像を表示させる指示を受け付けたことに基づき、ＣＰＵ１０１によって、オリジナル画像データ、右目用画像データ、または左目用画像データを用いて生成されるものであってもよい。
【００８２】
（８）上記においては、サムネイル画像を選択する構成を例に挙げて説明したが、選択対象はサムネイル画像である必要はない。たとえば、アイコンを選択する構成であってもよい。
【００８３】
（９）サムネイル画像の代わりにオリジナル画像を複数表示させ、当該複数のオリジナル画像から１つのオリジナル画像が選択されたことに基づき、ディスプレイ２０８１，２０８１Ａに、選択されたオリジナル画像に対応する３次元画像を表示させるように、電子機器１０，１０Ａ，１０Ｂを構成してもよい。また、オリジナル画像を１つだけ表示させ、当該複数のオリジナル画像が選択されたことに基づき、ディスプレイ２０８１，２０８１Ａに、選択されたオリジナル画像に対応する３次元画像を表示させるように、電子機器１０，１０Ａ，１０Ｂを構成してもよい。
【００８４】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００８５】
１，１Ｂ  映像表示システム、１０，１０Ａ，１０Ｂ  電子機器、２０，３０  表示装置、９０，９１  接続ケーブル、１０４  フラッシュメモリ、１０５，１０５Ａ  操作キー、１０８，１０８Ａ，３０８  タッチパネル付きディスプレイ、１１０  出力端子、１２１  本体装置、２０８，１０８１，２０８１，２０８１Ａ  ディスプレイ、４００  表示用データ、８０１〜８０９  サムネイル画像、８０３Ａ  オリジナル画像、８０３Ｂ  ３次元画像、９０１  指、１００１  第１の筐体、１００２  第２の筐体、１００３  ヒンジ部材、１０８２  タッチパネル。
【図１】
2012113521.tif 000003
【図２】
2012113521.tif 000004
【図３】
2012113521.tif 000005
【図４】
2012113521.tif 000006
【図５】
2012113521.tif 000007
【図６】
2012113521.tif 000008
【図７】
2012113521.tif 000009
【図８】
2012113521.tif 000010
【図９】
2012113521.tif 000011